(57)【要約】【課題】細断処理能力が高く、大量の被細断物を短時間で処理でき、細断処理時間の短縮が図れ、被細断物を瞬時に且つ安定的に細断でき、回転刃の負担が小さくて済み、回転刃の損傷・磨耗等も抑制でき、回転刃の互換装着等も簡単に行え、構成簡素で、耐久性に優れ、メンテナンス容易で、量産に適し、低廉で、経済的なシュレッダー装置を提供する。【解決手段】細断機構と送給機構とを備え、細断機構は、細断用回転カッターＡと、送給路の終端部に配する細断用櫛歯部７とを有し、細断用回転カッターＡは、複数の略丸鋸刃状回転刃２０を備え、細断用櫛歯部７は、回転刃２０の外周縁部分を収容可能な複数の切欠溝６を所定間隔に配設せしめて形成し、送給機構によって被細断物を送給し、被細断物が細断用櫛歯部７上を移動する際に、切欠溝６夫々に臨む複数の回転刃２０によって細断するよう構成する。【選択図】図５
2008114114.tif 000002
【特許請求の範囲】
【請求項１】
適宜駆動手段により高速回転する細断用回転カッターを有する細断機構と、この細断機構に被細断物を手動的に或いは自動的に送給可能な送給機構とを備えたシュレッダー装置であって、前記細断機構は、適宜ケース内に配される細断用回転カッターと、送給機構に於ける送給路の終端部に配される細断用櫛歯部とを有し、細断用回転カッターは、回転軸芯に沿って所定間隔で配される複数の略丸鋸刃状回転刃を備え、細断用櫛歯部は、複数の回転刃の外周縁部分が収容可能な複数の切欠溝を所定間隔に配設せしめて形成され、送給機構によって送給路を送給される被細断物は、細断用櫛歯部上を移動する際に、切欠溝夫々に臨む細断用回転カッターの複数の回転刃によって細断されるよう構成したことを特徴とするシュレッダー装置。
【請求項２】
適宜駆動手段により高速回転する細断用回転カッターを有する細断機構と、この細断機構に被細断物を手動的に或いは自動的に送給可能な送給機構とを備えたシュレッダー装置であって、前記細断機構は、適宜ケース内に配される細断用回転カッターと、送給機構に於ける送給路の終端部に配される細断用固定プレートとを有し、細断用回転カッターは、回転軸に固定される一対の基盤と、この一対の基盤の間に架設状に配される複数の取付杆と、この取付杆に貫通装着されると共に、スペーサーを介して所定間隔隔てた状態で配される複数の略丸鋸刃状回転刃とを備え、細断用固定プレートには、複数の回転刃の外周縁部分を収容可能な複数の切欠溝が凹設される細断用櫛歯部が設けられ、送給機構によって送給路を送給される被細断物は、細断用固定プレート上を移動する際に、切欠溝夫々に臨む細断用回転カッターの複数の回転刃によって細断されるよう構成したことを特徴とするシュレッダー装置。
【請求項３】
適宜駆動手段により高速回転する細断用回転カッターを有する細断機構と、この細断機構に被細断物を手動的に或いは自動的に送給可能な送給機構とを備えたシュレッダー装置であって、前記細断機構は、適宜ケース内に配される細断用回転カッターと、送給機構に於ける送給路の終端部に配される細断用櫛歯部とを有し、細断用回転カッターは、回転軸と、この回転軸に夫々固定される複数の略丸鋸刃状回転刃と、この回転刃の間に介装されるスペーサーとを備え、細断用櫛歯部は、ガイドプレートの終端部、或いは、細断用固定プレートに配されると共に、複数の回転刃の外周縁部分を収容可能な複数の切欠溝を所定間隔に凹設せしめて形成され、送給機構によって送給路を送給される被細断物は、細断用櫛歯部上を移動する際に、切欠溝夫々に臨む細断用回転カッターの複数の回転刃によって細断されるよう構成したことを特徴とするシュレッダー装置。
【請求項４】
回転軸と、この回転軸に固定される基体と、この基体に突設される複数の掻き落し片とからなる巻付き防止用回転体を形成し、この巻付き防止用回転体を細断用回転カッターの近傍に配すると共に、複数の掻き落し片が隣設する回転刃の間の空間部分夫々を移動可能となるように形成し、回転する巻付き防止用回転体の掻き落し片の先端部分で、隣設する回転刃の間の空間部分夫々に巻付いた細断後の被細断物を掻き落せるように構成したことを特徴とする請求項１記載または請求項２または請求項３記載のシュレッダー装置。
【請求項５】
細断用回転カッターは、その外径寸法が異なる少なくとも二種類以上の回転刃を組合せることによって構成したことを特徴とする請求項１または請求項２または請求項３または請求項４記載のシュレッダー装置。
【請求項６】
細断用回転カッターをケースで囲撓するように形成すると共に、ケースの下部に適宜送風手段を配し、細断用回転カッターで細断された細断片を送風手段によって所定の位置まで移送できるよう構成したことを特徴とする請求項１または請求項２または請求項３または請求項４または請求項５記載のシュレッダー装置。
【発明の詳細な説明】
【技術分野】
【０００１】
本発明は、主に、不要となった紙等のようなシート状の被細断物や、或いは紙等を複数重ねた状態の被細断物や、或いは紙等を複数束ねた状態の書類状の被細断物等を細断できるようにしたシュレッダー装置に係り、特に、細断処理能力が高く、大量の被細断物を短時間で処理でき、しかも、構成が簡素で、耐久性に優れ、メンテナンスが容易となるように工夫したシュレッダー装置に関するものである。
【背景技術】
【０００２】
従来、この種のシュレッダー装置としては種々のものが提供されており、例えば、特許文献１のように、多数の切断刃を有する一対のロールカッターの間に紙等の被細断物を挿入して細断できるように構成されたものが数多く提供されている。
【０００３】
【特許文献１】特開平１１−２９０７０８号
【発明の開示】
【発明が解決しようとする課題】
【０００４】
ところが、従来のシュレッダー装置にあっては、多数枚重ねた状態の被細断物を一対のロールカッターによるせん断作用を利用して細断するようにしているため、一対のロールカッターの回転トルクがかなり高く、且つ回転速度がかなり遅く設定されており、結果的に細断処理時間が長くなってしまう難点があった。特に、大量の被細断物を処理する場合には、作業を能率的に行うことが難しい問題点があった。
また、所定枚数以上に重ねた状態の被細断物を細断しようとすると、これを一対のロールカッターが噛み込んだ状態となって負荷が増大し、一対のロールカッターが停止して細断作業が中断されてしまう虞れ等もあった。
【課題を解決するための手段】
【０００５】
そこで、本発明は前述の如き難点等を解消できるようなシュレッダー装置を提供すべく創出されたもので、請求項１記載のシュレッダー装置にあっては、適宜駆動手段により高速回転する細断用回転カッターＡを有する細断機構と、この細断機構に被細断物を手動的に或いは自動的に送給可能な送給機構とを備えたシュレッダー装置であって、前記細断機構は、適宜ケース４０内に配される細断用回転カッターＡと、送給機構に於ける送給路の終端部に配される細断用櫛歯部７とを有し、細断用回転カッターＡは、回転軸芯に沿って所定間隔で配される複数の略丸鋸刃状回転刃２０を備え、細断用櫛歯部７は、複数の回転刃２０の外周縁部分が収容可能な複数の切欠溝６を所定間隔に配設せしめて形成され、送給機構によって送給路を送給される被細断物は、細断用櫛歯部７上を移動する際に、切欠溝６夫々に臨む細断用回転カッターＡの複数の回転刃２０によって細断されるよう構成する手段を採用した。
【０００６】
また、請求項２記載のシュレッダー装置にあっては、適宜駆動手段により高速回転する細断用回転カッターＡを有する細断機構と、この細断機構に被細断物を手動的に或いは自動的に送給可能な送給機構とを備えたシュレッダー装置であって、前記細断機構は、適宜ケース４０内に配される細断用回転カッターＡと、送給機構に於ける送給路の終端部に配される細断用固定プレート５とを有し、細断用回転カッターＡは、回転軸１１に固定される一対の基盤１０と、この一対の基盤１０の間に架設状に配される複数の取付杆１２と、この取付杆１２に貫通装着されると共に、スペーサー１６を介して所定間隔隔てた状態で配される複数の略丸鋸刃状回転刃２０とを備え、細断用固定プレート５には、複数の回転刃２０の外周縁部分を収容可能な複数の切欠溝６が凹設される細断用櫛歯部７が設けられ、送給機構によって送給路を送給される被細断物は、細断用固定プレート５上を移動する際に、切欠溝６夫々に臨む細断用回転カッターＡの複数の回転刃２０によって細断されるよう構成する手段を採用した。
【０００７】
更に、請求項３記載のシュレッダー装置にあっては、適宜駆動手段により高速回転する細断用回転カッターＡを有する細断機構と、この細断機構に被細断物を手動的に或いは自動的に送給可能な送給機構とを備えたシュレッダー装置であって、前記細断機構は、適宜ケース４０内に配される細断用回転カッターＡと、送給機構に於ける送給路の終端部に配される細断用櫛歯部７とを有し、細断用回転カッターＡは、回転軸１１と、この回転軸１１に夫々固定される複数の略丸鋸刃状回転刃２０と、この回転刃２０の間に介装されるスペーサー１６とを備え、細断用櫛歯部７は、ガイドプレート１の終端部、或いは、細断用固定プレート５に配されると共に、複数の回転刃２０の外周縁部分を収容可能な複数の切欠溝６を所定間隔に凹設せしめて形成され、送給機構によって送給路を送給される被細断物は、細断用櫛歯部７上を移動する際に、切欠溝６夫々に臨む細断用回転カッターＡの複数の回転刃２０によって細断されるよう構成する手段を採用した。
【０００８】
そして、請求項４記載のシュレッダー装置にあっては、回転軸３１と、この回転軸３１に固定される基体３０と、この基体３０に突設される複数の掻き落し片３２とからなる巻付き防止用回転体Ｂを形成し、この巻付き防止用回転体Ｂを細断用回転カッターＡの近傍に配すると共に、複数の掻き落し片３２が隣設する回転刃２０の間の空間部分夫々を移動可能となるように形成し、回転する巻付き防止用回転体Ｂの掻き落し片３２の先端部分で、隣設する回転刃２０の間の空間部分夫々に巻付いた細断後の被細断物を掻き落せるように構成する手段を採用した。
【０００９】
それから、請求項５記載のシュレッダー装置にあっては、細断用回転カッターＡは、その外径寸法が異なる少なくとも二種類以上の回転刃２０を組合せることによって構成する手段を採用した。
【００１０】
加えて、請求項６記載のシュレッダー装置にあっては、細断用回転カッターＡをケース４０で囲撓するように形成すると共に、ケース４０の下部に適宜送風手段を配し、細断用回転カッターＡで細断された細断片を送風手段によって所定の位置まで移送できるよう構成する手段を採用した。
【発明の効果】
【００１１】
従って、本発明の請求項１記載のシュレッダー装置によれば、不要となった紙等のようなシート状の被細断物や、或いは紙等を複数重ねた状態の被細断物や、或いは紙等を複数束ねた状態の書類状の被細断物等の細断処理能力が極めて高く、大量の被細断物を短時間で能率的に処理できるものとなる。しかも、構成が簡素で、耐久性に優れ、メンテナンスが容易で、量産に適し、比較的低廉に提供でき、経済的なシュレッダー装置となる。
【００１２】
特に、細断機構は、適宜ケース４０内に配されて高速回転する細断用回転カッターＡと、送給機構に於ける送給路の終端部に配される細断用櫛歯部７とを有し、被細断物が細断用櫛歯部７上を移動する際に、切欠溝６夫々に臨む細断用回転カッターＡの複数の回転刃２０によって細断されるよう構成したので、紙等のようなシート状の被細断物（数枚程度重なった状態の被細断物も含む）の場合は、これを細断用回転カッターＡと細断用櫛歯部７とにより瞬時に且つ安定的に細断できるようになる。また、紙等を複数重ねた状態の被細断物の場合は、これを短時間で且つ安定的に細断できるようになり、更に、紙等を複数束ねた状態の書類状の被細断物の場合も、これを短時間で且つ安定的に細断できるようになる。すなわち、回転刃２０が高速回転することと、略丸鋸刃状であることとにより、比較的厚くなっている被細断物を細断する場合であっても、これを切断するように細断せしめるため、従来のシュレッダー装置のようなせん断作用を利用した細断と異なり、被細断物を噛み込んで細断作業が頻繁に中断されるような虞れのないものとなる。
【００１３】
そして、被細断物は、複数の略丸鋸刃状回転刃２０で切断される（回転刃２０の厚み部分が微細化される）ように細断されるため、仮に細断片を集めて被細断物を復元しようとしても、回転刃２０で切断された部分の復元が不可能であり、細断片から情報が漏洩する虞れの全く無いものとなる。
【００１４】
加えて、被細断物は、送給機構によって送給路を手動的に或いは自動的に送給可能であるため、被細断物を細断用回転カッターＡがわにスムーズに且つ連続的に送給し易くなり、所定量の被細断物を細断処理するためにかかる時間を短縮できるようになる。
特に、紙等のようなシート状の被細断物（数枚程度重なった状態の被細断物も含む）を細断する場合は、これを瞬時に細断できるため、被細断物の送給速度をかなり速く設定できるようになり、細断処理時間の短縮は勿論のこと、細断用回転カッターＡの回転刃２０自体にかかる負担が小さくて済み、回転刃２０の損傷・磨耗等も抑制でき、耐久性にも良い影響を与えるものとなる。
【００１５】
また、本発明の請求項２記載のシュレッダー装置によれば、不要となった紙等のようなシート状の被細断物や、或いは紙等を複数重ねた状態の被細断物や、或いは紙等を複数束ねた状態の書類状の被細断物等の細断処理能力が極めて高く、大量の被細断物を短時間で能率的に処理できるものとなる。しかも、構成が簡素で、耐久性に優れ、メンテナンスが容易で、量産に適し、比較的低廉に提供でき、経済的なシュレッダー装置となる。
【００１６】
特に、細断機構は、適宜ケース４０内に配されて高速回転する細断用回転カッターＡと、送給機構に於ける送給路の終端部に配される細断用固定プレート５とを有し、細断用固定プレート５には細断用櫛歯部７が設けられ、被細断物が細断用固定プレート５上を移動する際に、切欠溝６夫々に臨む細断用回転カッターＡの複数の回転刃２０によって細断されるよう構成したので、紙等のようなシート状の被細断物（数枚程度重なった状態の被細断物も含む）の場合は、これを細断用回転カッターＡと細断用固定プレート５の細断用櫛歯部７とにより瞬時に且つ安定的に細断できるようになる。また、紙等を複数重ねた状態の被細断物の場合は、これを短時間で且つ安定的に細断できるようになり、更に、紙等を複数束ねた状態の書類状の被細断物の場合も、これを短時間で且つ安定的に細断できるようになる。すなわち、回転刃２０が高速回転することと、略丸鋸刃状であることとにより、比較的厚くなっている被細断物を細断する場合であっても、これを切断するように細断せしめるため、従来のシュレッダー装置のようなせん断作用を利用した細断と異なり、被細断物を噛み込んで細断作業が頻繁に中断されるような虞れのないものとなる。
【００１７】
そして、被細断物は、複数の略丸鋸刃状回転刃２０で切断される（回転刃２０の厚み部分が微細化される）ように細断されるため、仮に細断片を集めて被細断物を復元しようとしても、回転刃２０で切断された部分の復元が不可能であり、細断片から情報が漏洩する虞れの全く無いものとなる。
【００１８】
加えて、被細断物は、送給機構によって送給路を手動的に或いは自動的に送給可能であるため、被細断物を細断用回転カッターＡがわにスムーズに且つ連続的に送給し易くなり、所定量の被細断物を細断処理するためにかかる時間を短縮できるようになる。
特に、紙等のようなシート状の被細断物（数枚程度重なった状態の被細断物も含む）を細断する場合は、これを瞬時に細断できるため、被細断物の送給速度をかなり速く設定できるようになり、細断処理時間の短縮は勿論のこと、細断用回転カッターＡの回転刃２０自体にかかる負担が小さくて済み、回転刃２０の損傷・磨耗等も抑制でき、耐久性にも良い影響を与えるものとなる。
【００１９】
それから、細断用回転カッターＡは、回転軸１１に固定される一対の基盤１０と、この一対の基盤１０の間に架設状に配される複数の取付杆１２と、この取付杆１２に貫通装着されると共に、スペーサー１６を介して所定間隔隔てた状態で配される複数の略丸鋸刃状回転刃２０とを備えた構成となっているので、比較的簡素な構成となると共に、回転刃２０の互換装着等も簡単に行えるようになり、メンテナンスも容易で、取扱い易い細断用回転カッターＡとなる。
【００２０】
更に、本発明の請求項３記載のシュレッダー装置によれば、不要となった紙等のようなシート状の被細断物や、或いは紙等を複数重ねた状態の被細断物や、或いは紙等を複数束ねた状態の書類状の被細断物等の細断処理能力が極めて高く、大量の被細断物を短時間で能率的に処理できるものとなる。しかも、構成が簡素で、耐久性に優れ、メンテナンスが容易で、量産に適し、比較的低廉に提供でき、経済的なシュレッダー装置となる。
【００２１】
特に、細断機構は、適宜ケース４０内に配されて高速回転する細断用回転カッターＡと、送給機構に於ける送給路の終端部に配される細断用櫛歯部７とを有し、被細断物が細断用櫛歯部７上を移動する際に、切欠溝６夫々に臨む細断用回転カッターＡの複数の回転刃２０によって細断されるよう構成したので、紙等のようなシート状の被細断物（数枚程度重なった状態の被細断物も含む）の場合は、これを細断用回転カッターＡと細断用櫛歯部７とにより瞬時に且つ安定的に細断できるようになる。また、紙等を複数重ねた状態の被細断物の場合は、これを短時間で且つ安定的に細断できるようになり、更に、紙等を複数束ねた状態の書類状の被細断物の場合も、これを短時間で且つ安定的に細断できるようになる。すなわち、回転刃２０が高速回転することと、略丸鋸刃状であることとにより、比較的厚くなっている被細断物を細断する場合であっても、これを切断するように細断せしめるため、従来のシュレッダー装置のようなせん断作用を利用した細断と異なり、被細断物を噛み込んで細断作業が頻繁に中断されるような虞れのないものとなる。
【００２２】
そして、被細断物は、複数の略丸鋸刃状回転刃２０で切断される（回転刃２０の厚み部分が微細化される）ように細断されるため、仮に細断片を集めて被細断物を復元しようとしても、回転刃２０で切断された部分の復元が不可能であり、細断片から情報が漏洩する虞れの全く無いものとなる。
【００２３】
加えて、被細断物は、送給機構によって送給路を手動的に或いは自動的に送給可能であるため、被細断物を細断用回転カッターＡがわにスムーズに且つ連続的に送給し易くなり、所定量の被細断物を細断処理するためにかかる時間を短縮できるようになる。
特に、紙等のようなシート状の被細断物（数枚程度重なった状態の被細断物も含む）を細断する場合は、これを瞬時に細断できるため、被細断物の送給速度をかなり速く設定できるようになり、細断処理時間の短縮は勿論のこと、細断用回転カッターＡの回転刃２０自体にかかる負担が小さくて済み、回転刃２０の損傷・磨耗等も抑制でき、耐久性にも良い影響を与えるものとなる。
【００２４】
それから、細断用回転カッターＡは、回転軸１１と、この回転軸１１に夫々固定される複数の略丸鋸刃状回転刃２０と、この回転刃２０の間に介装されるスペーサー１６とを備えた構成となっているので、簡素な構成となると共に、回転刃２０の互換装着等も簡単に行えるようになり、メンテナンスも容易で、取扱い易い細断用回転カッターＡとなる。
【００２５】
そして、本発明の請求項４記載のシュレッダー装置によれば、巻付き防止用回転体Ｂによって、隣設する回転刃２０の間の空間部分夫々に巻付いた細断後の被細断物を確実に且つ簡単に掻き落せるようになり、細断処理が安定的に且つ連続して行えるようになる。ひいては、大量の被細断物の細断処理に適したものとなる。
【００２６】
特に、巻付き防止用回転体Ｂは、回転軸３１と、この回転軸３１に固定される基体３０と、この基体３０に突設される複数の掻き落し片３２とからなるので、比較的簡素な構成となると共に、メンテナンスも容易で、取扱い易い巻付き防止用回転体Ｂとなる。
【００２７】
それから、本発明の請求項５記載のシュレッダー装置によれば、被細断物を細断用回転カッターＡで細断し始める際に、全ての回転刃２０が被細断物を同時に細断することがなくなり、多数枚重ねた状態の被細断物を細断するときでも、細断用回転カッターＡが噛み込み状態となって、細断作業が中断するような虞れの無いものとなる。ひいては、細断用回転カッターＡに大きな負荷がかからないようになり、細断用回転カッターＡの耐久性が向上するようになる。
【００２８】
加えて、本発明の請求項６記載のシュレッダー装置によれば、適宜送風手段によって、細断用回転カッターＡで細断された細断片を所定の位置まで確実に且つスムーズに移送できるようになる。
【発明を実施するための最良の形態】
【００２９】
以下、本発明を図示例に基づいて説明すると、次の通りである。
本発明は、主に、不要となった紙等のようなシート状の被細断物や、或いは紙等を複数重ねた状態の被細断物や、或いは紙等を複数束ねた状態の書類状の被細断物等の適宜被細断物を細断でき、特に、細断処理能力が極めて高く、大量の被細断物を短時間で処理できるようにしたシュレッダー装置に係るもので、室内に設置して使用したり、或いは、ゴミ収集車７０等に搭載して使用したりできるように構成されたものである。
具体的には、適宜駆動手段により高速回転（例えば、１分当たり３００〜７００回転）する細断用回転カッターＡを有する細断機構と、この細断機構に被細断物を手動的に或いは自動的に送給可能な送給機構とを少なくとも備え、細断機構は、適宜ケース４０内に配される細断用回転カッターＡと、送給機構に於ける送給路の終端部に配される細断用櫛歯部７とを有し、細断用回転カッターＡは、回転軸芯に沿って所定間隔で配される複数の略丸鋸刃状回転刃２０を備え、細断用櫛歯部７は、複数の回転刃２０の外周縁部分が収容可能な複数の切欠溝６を所定間隔に配設せしめて形成され、送給機構によって送給路を連続的に（或いは不連続的に）送給される被細断物は、細断用櫛歯部７上を移動する際に、切欠溝６夫々に臨む細断用回転カッターＡの複数の回転刃２０によって切断して細断されるよう構成したものである。
すなわち、紙等のようなシート状の被細断物（数枚程度重なった状態の被細断物も含む）の場合は、これを細断用回転カッターＡと細断用櫛歯部７とにより瞬時に且つ安定的に細断でき、また、紙等を複数重ねた状態の被細断物や、紙等を複数束ねた状態の書類状の被細断物のように、比較的厚くなっている被細断物を細断する場合は、これを切断するように細断せしめて、短時間で且つ安定的に細断できるように構成されたものである。
【実施例】
【００３０】
本発明のシュレッダー装置としては、例えば、図１及び図２に示すようなものや、図５乃至図７に示すようなものや、図１４及び図１５に示すようなものや、図１８乃至図２０に示すようなもの等がある。
【００３１】
そして、図１及び図２に示すようなシュレッダー装置は、適宜駆動手段により高速回転する細断用回転カッターＡを有する細断機構と、この細断機構に被細断物を手動的に或いは自動的に送給可能な送給機構とを備え、細断機構は、適宜ケース４０内に配される細断用回転カッターＡと、送給機構に於ける送給路の終端部に配される細断用固定プレート５とを有し、細断用回転カッターＡは、回転軸１１に夫々固定される一対の基盤１０と、この一対の基盤１０の間に架設状に配される複数の取付杆１２と、この取付杆１２に貫通装着されると共に、スペーサー１６を介して所定間隔隔てた状態で配される複数の略丸鋸刃状回転刃２０とを備え、細断用固定プレート５には、複数の回転刃２０の外周縁部分を収容可能な複数の切欠溝６が凹設される細断用櫛歯部７が設けられ、送給機構によって送給路を送給される被細断物は、細断用固定プレート５上を移動する際に、切欠溝６夫々に臨む細断用回転カッターＡの複数の回転刃２０によって切断されて細断できるように構成されたものである。
【００３２】
また、前記送給機構は、例えば、ガイドプレート１と、複数の送りローラ２と、押えローラ３と、送りローラ２及び押えローラ３（或いは送りローラ２のみ、或いは押えローラ３のみでも良い）を回転せしめる適宜駆動手段とを備えたものとなっている。
【００３３】
そして、前記ガイドプレート１は、例えば、略矩形板状に形成され、略水平（或いは、細断用回転カッターＡがわに行くに従って低くなるように傾斜させて配しても良いし、或いは、その傾き等を自在に調節できるように形成してあっても良い。）となるように配されている。
しかも、ガイドプレート１には、複数の細長矩形窓孔が搬送路に沿って適宜間隔で穿設されており、この窓孔部分夫々に送りローラ２が配置されると共に、送りローラ２の一部（上部）が窓孔を介してガイドプレート１の上面がわに僅かに突出するように形成されている。すなわち、被細断物がガイドプレート１上面に沿ってスムーズに細断用回転カッターＡがわに送給できるように形成されている。尚、ガイドプレート１は、窓孔や送りローラ２を設けないものであっても良い。
【００３４】
前記送りローラ２は、例えば、略細長円柱状を呈し、被細断物がガイドプレート１上面がわをスムーズに連続送給されるように形成してある。尚、複数の送りローラ２は、適宜駆動手段によって駆動回転するように構成してあっても良いし、駆動手段に連繋せずに自由に回動できるように構成したものであっても良い。すなわち、送りローラ２は、駆動手段によって被細断物が連続的に送給できるように構成されたものでも良いし、手動によって送りローラ２の上を被細断物がスムーズに移動できるようにしたものでも良い。
また、送りローラ２は、略短円柱状に形成し、これを軸に複数装着して構成したようなものであっても良い。
【００３５】
前記押えローラ３は、例えば、略細長円柱状を呈し、左右アームを介して送給路の終端がわに配されると共に、ガイドプレート１の上方に配されている。しかも、押えローラ３の上下への揺動動作の調節により、細断用回転カッターＡがわに一度に送給できる被細断物の厚み（枚数）を制限できるように形成されている。すなわち、細断用回転カッターＡの細断能力を超えて、一度に多数の被細断物が送給されることがないように構成されている。
ところで、紙等のようなシート状の被細断物（数枚程度重なった状態の被細断物も含む）を細断する場合は、適宜駆動手段によって押えローラ３が回転し、送りローラ２と共に被細断物を挟んで、これを細断機構がわに確実に且つ迅速に送給して、被細断物を瞬時に細断できるように形成しても良い。
また、紙等を複数重ねた状態の被細断物や、紙等を複数束ねた状態の書類状の被細断物のように、比較的厚くなっている被細断物を細断する場合は、押えローラ３が被細断物を上方から圧迫（或いは、単に接触）して、被細断物の細断用回転カッターＡがわへの送給速度を調節できるように構成しても良い。すなわち、細断用回転カッターＡによる切断能力を越えて、被細断物が細断用回転カッターＡがわに送給されないように形成される。
【００３６】
前記細断用固定プレート５は、例えば、略細長帯板状に形成され、送給機構に於けるガイドプレート１に連続するように配されると共に、送給路の終端部に配されている。そして、細断用固定プレート５の他方の長辺（細断用回転カッターＡがわの長辺）部分には、略細長溝状の複数の切欠溝６が長辺に沿って所定間隔に配されている。すなわち、切欠溝６によって櫛歯状に形成されており、この部分が細断用櫛歯部７となっている。
ところで、細断用固定プレート５は、ガイドプレート１と別体とせず、ガイドプレート１の細断用回転カッターＡがわ部分を利用したものであっても良い。すなわち、ガイドプレート１の細断用回転カッターＡがわ部分に、複数の切欠溝６を配して、細断用櫛歯部７を設けるようにしても良い。
【００３７】
更に、前記細断用回転カッターＡは、例えば、ケース４０或いはフレームに回転自在に支持される一対の回転軸１１と、この回転軸１１に夫々固定される一対の基盤１０と、この一対の基盤１０の間に架設状に配される複数（例えば、四本）の取付杆１２と、この取付杆１２に貫通装着されると共に、スペーサー１６を介して所定間隔隔てた状態で配される複数の略丸鋸刃状回転刃２０とからなり（図３及び図４参照）、複数の回転刃２０の外周縁部分が細断用固定プレート５（或いは、細断用櫛歯部７）の切欠溝６夫々に収容されるように形成してある。すなわち、細断用固定プレート５（或いは、細断用櫛歯部７）上を送給される被細断物を複数の回転刃２０で切断して細断できるように形成されている。しかも、細断用回転カッターＡ自体を堅牢に且つ軽量に構成できて、更に、その組立て、分解が簡単に行え、消耗品でもある回転刃２０の互換装着が簡単に行え、取り扱い易く、メンテナンスし易い細断用回転カッターＡとなるように構成されている。
【００３８】
前記基盤１０は、例えば、略円板状を呈し、その中央部分に回転軸１１の端部が固着されている。しかも、その外周部分には、取付杆１２が貫通可能となるような複数（例えば、四個）の円孔が穿設（或いは、略Ｕ字状の溝が凹設）されている。
【００３９】
前記回転軸１１は、例えば、略短円柱状を呈し、一対の基盤１０夫々に固着されている。尚、この回転軸１１は、一本の長尺円柱状に構成し、一対の基盤１０を貫通するように形成されたものであっても良い。
【００４０】
前記取付杆１２は、例えば、略長尺丸棒状を呈し、その両端部分には雄ネジ部１３が形成されている。そして、この雄ネジ部１３には、ワッシャー１４が挿通されると共にナット１５が螺着され、これらによって、取付杆１２を一対の基盤１０に分解可能に固定できるよう構成されている。
【００４１】
前記スペーサー１６は、例えば、略短円筒状を呈し、隣設する回転刃２０の間に介装されて、複数の回転刃２０を所定の間隔に配せるように形成されている。
ところで、このスペーサー１６は、取付杆１２夫々に外装できるような小さな略短円筒状に形成されたものでも良いし、或いは、回転軸１１に外装できるように形成されたものでも良い。
【００４２】
尚、図中１７は、例えば、複数の取付杆１２を全体的に囲撓（外接）するような大きな略短円筒状に形成された外装リングを示し、この外装リング１７は、隣設する回転刃２０の中央空間部分に、被細断物が入り込むのを確実に防止できるように設けられたものである（図４参照）。すなわち、細断後の被細断物が、隣設する回転刃２０の間に残り難くなると共に、スムーズに落下するように設けられたものである。尚、この外装リング１７を、隣設する回転刃２０の間隔を保持するためのスペーサーとして利用しても良いし、或いは、スペーサー１６と併用しても良い。
【００４３】
前記回転刃２０は、例えば、略丸鋸刃状を呈し、その中央部分に比較的大きな円形の透孔２３が穿設され、この透孔２３の周囲に取付杆１２が貫通可能となるような複数（例えば、四個）の円形貫通孔２２が穿設されている。すなわち、複数の回転刃２０の連結状態が強固で且つ安定的となるように形成されている。
しかも、回転刃２０の外周部分に設けた複数の切刃２１は、交互に左右側部に折曲げるように形成してあり（例えば、アサリ状に形成してあり）、この切刃２１で切断された部分は、ある程度の幅部分が切り屑状となる（微細化される）ため、仮に細断片を集めても再現することが不可能となるように形成してある。
【００４４】
また、回転刃２０は、その外径寸法が異なる少なくとも二種類以上のものを組合せるように形成しても良い（図２及び図３参照）。すなわち、被細断物を細断用回転カッターＡで細断し始める際に、全ての回転刃２０が被細断物を同時に細断するようなことがなくなるようにして、多数枚重ねた状態の被細断物を細断するときでも、細断用回転カッターＡが噛み込み状態となって、細断作業が中断し難くなるように形成しても良い。
【００４５】
図中２５は、巻付き防止機構としての掻き落し片を示し、この掻き落し片２５は、例えば、適宜薄板状を呈し、隣設する回転刃２０の間に夫々配されるように形成されている。すなわち、細断片が隣設する回転刃２０の間の空間に残っているような場合に、これを下方に確実に掻き落せるように形成されたものである。尚、巻付き防止機構は、掻き落し片２５の代わりに後述するような回転式のものを採用することができる。
【００４６】
前記ケース４０は、例えば、細断用回転カッターＡを覆うように形成されて、安全性が確実に維持できるように設けられたものである。しかも、細断片が飛び散ることなく所定の位置に集まるように形成されている。
【００４７】
尚、ケース４０には、例えば、ブロワー等を利用した適宜送風手段を設けておき、細断片を所望の位置に送給できるように形成しても良い。すなわち、細断用回転カッターＡで細断された細断片が一ヶ所に留まって詰まることがないように形成することができる。
【００４８】
また、図５乃至図７に示すようなシュレッダー装置は、適宜駆動手段により高速回転する細断用回転カッターＡを有する細断機構と、この細断機構に被細断物を手動的に或いは自動的に送給可能な送給機構とを備え、細断機構は、適宜ケース４０内に配される細断用回転カッターＡと、送給機構による送給路の終端部に配される細断用櫛歯部７とを有し、細断用回転カッターＡは、回転軸１１に固定される一対の基盤１０と、回転軸１１に貫通装着されると共に、スペーサー１６を介して所定間隔隔てた状態で配される複数の略丸鋸刃状回転刃２０とを備え、ガイドプレート１には、複数の回転刃２０の外周縁部分を収容可能な複数の切欠溝６が凹設される細断用櫛歯部７が設けられ、送給機構によって送給路を送給される被細断物は、細断用櫛歯部７上を移動する際に、切欠溝６夫々に臨む細断用回転カッターＡの複数の回転刃２０によって細断されるように構成されたものである。
しかも、細断用回転カッターＡの近傍（下方）には、巻付き防止機構としての巻付き防止用回転体Ｂが配されており、この巻付き防止用回転体Ｂは、例えば、回転軸３１と、この回転軸３１に固定される基体３０と、この基体３０に突設される複数の掻き落し片３２とからなり、複数の掻き落し片３２が隣設する回転刃２０の間の空間部分夫々に移動可能となるように形成され、掻き落し片３２の先端部分で、隣設する回転刃２０の間の空間部分夫々に巻付いた細断後の被細断物を掻き落せるように構成されている。
【００４９】
前記送給機構は、例えば、ガイドプレート１と、ガイドプレート１の細断用回転カッターＡがわ上方に配されるガイド上片８とを備えたものとなっている。
そして、前記ガイドプレート１は、例えば、略矩形板状に形成され、略水平状態から細断用回転カッターＡがわに行くに従って低くなるような任意の傾斜状態とすることができるように構成されている。すなわち、重力等を利用して被細断物が細断用回転カッターＡがわに無理なくスムーズに送給できるように形成されている。尚、ガイドプレート１には複数の送りローラ２等を設けると共に、この送りローラ２を駆動回転せしめる適宜駆動手段を設けるようにしても良い。
【００５０】
また、ガイドプレート１の細断用回転カッターＡがわの終端縁部分には、略細長溝状の複数の切欠溝６が端縁に沿って所定間隔に配されている。すなわち、切欠溝６によって櫛歯状に形成されており、この部分が細断用櫛歯部７となっている。
ところで、細断用櫛歯部７は、ガイドプレート１に直接的に設けず、ガイドプレート１と別体とした細断用固定プレート５を設け、この細断用固定プレート５に設けるようにしても良い。
【００５１】
前記ガイド上片８は、例えば、略細長帯板状を呈し、送給路の終端がわに配されると共に、ガイドプレート１の上方に配されている。しかも、細断用回転カッターＡがわに一度に送給できる被細断物の厚み（枚数）を制限できるように形成されていると共に、手指等が細断用回転カッターＡがわに入り込むのを阻止できるように形成されている。すなわち、細断用回転カッターＡの細断能力を超えて、一度に多数の被細断物が送給されることがないように構成されている。
【００５２】
更に、前記細断用回転カッターＡは、例えば、ケース４０或いはフレームに回転自在に支持される回転軸１１と、この回転軸１１に固定される一対の基盤１０と、回転軸１１に貫通装着されると共に、スペーサー１６を介して所定間隔隔てた状態で配される複数の略丸鋸刃状回転刃２０とからなり、複数の回転刃２０の外周縁部分が細断用櫛歯部７の切欠溝６夫々に収容されるように形成してある。すなわち、細断用櫛歯部７上を送給される被細断物を複数の回転刃２０で切断して細断するように形成されている。しかも、その組立て、分解が簡単に行え、消耗品でもある回転刃２０の互換装着が簡単に行え、取り扱い易く、メンテナンスし易い細断用回転カッターＡとなるように構成されている。
【００５３】
前記基盤１０は、例えば、略円板状を呈し、その中央部分に貫通ボルト・ナット等を介して回転軸１１が固定できるように形成されている。
【００５４】
前記回転軸１１は、例えば、一本の長尺丸棒状を呈し、一対の基盤１０及び複数の回転刃２０及び複数のスペーサー１６を貫通するように形成されている。
【００５５】
前記スペーサー１６は、例えば、比較的大径となる略円盤状を呈し、隣設する回転刃２０の間に介装されて、複数の回転刃２０を所定の間隔に配せるように形成されている。すなわち、このスペーサー１６は、隣設する回転刃２０の中央空間部分に、被細断物が入り込むのを確実に阻止できるように形成されている。
【００５６】
前記回転刃２０は、例えば、略丸鋸刃状を呈し、その中央部分に回転軸１１の貫通固定孔が穿設されている。
しかも、回転刃２０の外周部分に設けた複数の切刃２１は、交互に左右側部に折曲げるように形成してあり（例えば、アサリ状に形成してあり）、この切刃２１で細断された部分は、ある程度の幅部分が切り屑状となる（微細化される）ため、仮に細断片を集めても再現することが不可能となるように形成してある。
【００５７】
前記巻付き防止用回転体Ｂは、適宜駆動手段によって細断用回転カッターＡと同じ向きに回転するように構成されており、細断用回転カッターＡの隣設する回転刃２０の間に細断片が残っているような場合に、これを確実に掻き落せるように形成されたものである。
【００５８】
巻付き防止用回転体Ｂの基体３０は、例えば、略円筒状を呈すると共に、回転軸３１に貫通ボルト・ナット等を介して固着できるように構成されている。
【００５９】
前記回転軸３１は、例えば、ケース４０やフレーム等に装着されると共に、適宜駆動手段に連繋されて駆動回転するように形成されている。
【００６０】
前記掻き落し片３２は、例えば、略細長帯板状を呈し、基体３０に９０度間隔（或いは、６０度間隔、或いはその他の適宜間隔を採用できる）となるように突設されている。
【００６１】
尚、巻付き防止用回転体Ｂは、細断用回転カッターＡの回転速度よりも速い速度で駆動回転するように形成されており、特に、掻き落し片３２の先端部分に於ける周速度が、スペーサー１６の周速度より速くなるように回転せしめられて、スペーサー１６に巻き付くようになる被細断物を確実に且つ速やかに掻き落し片３２で掻き落せるように構成されている。
【００６２】
ところで、前記ガイド上片８の代わりに、図８乃至図１１に示すような押えローラ５０を設けても良い。すなわち、この押えローラ５０は、送給機構に於いて送給路の終端部がわに於いてガイドプレート１の上方に配され、被細断物の搬送路を跨ぐようにガイドプレート１に固定される支持フレーム５１と、この支持フレーム５１の左右に垂下されると共に、押えローラ５０両端の軸部を回動自在に支持する軸支持体５２とによって装着されており、押えローラ５０の中央部分外表面には、滑り止め手段としてのローレット加工等が施されている。
更に、支持フレーム５１の左右寄りには、制動体５３が夫々配設されており、この制動体５３の下面にはブレーキ用のブレーキシュー５４が固着されており、このブレーキシュー５４が、押えローラ５０両端部分に接触可能となるように形成されている。
すなわち、押えローラ５０は、ガイドプレート１との間に所定の隙間（被細断物の通過空間）ができるように配置され、この部分に所定量以上の被細断物が搬送されてきたときに、軸支持体５２に設けたスプリングの弾発力に抗して押えローラ５０が上方に移動するように構成されている。
このとき、押えローラ５０は、その両端部分が制動体５３のブレーキシュー５４に圧接されるため、回転し難くなり（或いは、回転が阻止され）、しかも、最大所定量の被細断物しか通過させないようになると共に、この最大所定量の被細断物の送給速度が遅くなるように構成されている。すなわち、細断用回転カッターＡを停止させることがなく、細断用回転カッターＡでの処理能力に応じた速度に減速して被細断物を送給できるように構成してある。
【００６３】
ところで、図１２及び図１３は、送給機構に於いてガイドプレート１の代わりに昇降テーブル６０を設けたもので、この昇降テーブル６０の細断用固定プレート５がわ左右には、ガイドレール６１が配置されており、このガイドレール６１に内装した弾性スプリングによって昇降テーブル６０を上昇できるように構成されたものである。
すなわち、昇降テーブル６０の上に多量の被細断物を積重ねておくだけで、これが弾性スプリングによって自動的に上昇することとなり、押えローラ３を介して被細断物が連続的に細断用回転カッターＡがわに送給されるように構成されたものである。
【００６４】
更に、図１４及び図１５に示すようなシュレッダー装置は、適宜駆動手段により高速回転する細断用回転カッターＡを有する細断機構と、この細断機構に被細断物を手動的に或いは自動的に送給可能な送給機構とを備え、細断機構は、適宜ケース４０内に配される細断用回転カッターＡと、送給機構による送給路の終端部に配される細断用櫛歯部７とを有し、細断用回転カッターＡは、回転軸１１に固定される一対の基盤１０と、回転軸１１に貫通装着されると共に、スペーサー１６を介して所定間隔隔てた状態で配される複数の略丸鋸刃状回転刃２０とを備え、ガイドプレート１には、複数の回転刃２０の外周縁部分を収容可能な複数の切欠溝６が凹設される細断用櫛歯部７が設けられ、送給機構によって送給路を送給される被細断物は、細断用櫛歯部７上を移動する際に、切欠溝６夫々に臨む細断用回転カッターＡの複数の回転刃２０によって細断されるように構成されたものである。
しかも、細断用回転カッターＡの近傍（横方）には、巻付き防止機構としての巻付き防止用回転体Ｂが配されており、この巻付き防止用回転体Ｂは、例えば、回転軸３１と、この回転軸３１に固定される基体３０と、この基体３０に突設される複数の掻き落し片３２とからなり、複数の掻き落し片３２が隣設する回転刃２０の間の空間部分夫々に移動可能となるように形成され、掻き落し片３２の先端部分で、隣設する回転刃２０の間の空間部分夫々に巻付いた細断後の被細断物を掻き落せるように構成されている。すなわち、細断用回転カッターＡの水平方向近傍に巻付き防止機構としての巻付き防止用回転体Ｂを配したものである。
【００６５】
ところで、図１６及び図１７は、ガイド上片８に押えローラ３を回動自在に装着して構成されたものである。すなわち、ガイド上片８は、送給機構に於いて送給路の終端部がわに於いてガイドプレート１の上方に配され、このガイド上片８の左右側片部分に、押えローラ３の軸部を回動自在に支持するように装着して構成され、しかも、押えローラ３の外表面には、滑り止め手段としての複数の突条等が施されている。
【００６６】
そして、図１８乃至図２１に示すようなシュレッダー装置は、ゴミ収集車７０の後部に搭載できるように構成されたもので、その不使用時には、ゴミ収集車７０内に格納でき、その使用時には、起立状に揺動せしめてセットできるようにしたものである。すなわち、大量の被細断物がある場合、ゴミ収集車７０が現地まで移動して、これを現地で細断処分できるようにしたもので、細断された被細断片は、ゴミ収集車７０の奥方に順次送り込まれ、大量の細断処理が可能となるように構成されたものである。
【００６７】
具体的には、適宜駆動手段により高速回転する細断用回転カッターＡを有する細断機構と、この細断機構に被細断物を手動的に或いは自動的に送給可能な送給機構と、細断された被細断物が細断用回転カッターＡに巻付くのを確実に防止する巻付き防止用回転体Ｂを有する巻付き防止機構とを備え、細断機構は、適宜ケース４０内に配される細断用回転カッターＡと、送給機構に於ける送給路の終端部に配される細断用櫛歯部７とを有し、細断用回転カッターＡは、回転軸１１に固定される一対の基盤１０と、この一対の基盤１０の間に架設状に配される複数の取付杆１２と、この取付杆１２に貫通装着されると共に、スペーサー１６を介して所定間隔隔てた状態で配される複数の略丸鋸刃状回転刃２０とを備え、ガイドプレート１には、複数の回転刃２０の外周縁部分を収容可能な複数の切欠溝６が凹設される細断用櫛歯部７が設けられ、送給機構によって送給路を送給される被細断物は、細断用櫛歯部７上を移動する際に、切欠溝６夫々に臨む細断用回転カッターＡの複数の回転刃２０によって切断されて細断できるように構成されたものである。
しかも、細断用回転カッターＡの近傍（下方）には、巻付き防止機構としての巻付き防止用回転体Ｂが配されており、この巻付き防止用回転体Ｂは、例えば、回転軸３１と、この回転軸３１に固定される基体３０と、この基体３０に突設される複数の掻き落し片３２とからなり、複数の掻き落し片３２が隣設する回転刃２０の間の空間部分夫々に移動可能となるように形成され、掻き落し片３２の先端部分で、隣設する回転刃２０の間の空間部分夫々に巻付いた細断後の被細断物を掻き落せるように構成されている。
【００６８】
前記送給機構は、例えば、ガイドプレート１と、ガイドプレート１の細断用回転カッターＡがわ上方に配されるガイド上片８とを備えたものとなっている。
そして、前記ガイドプレート１は、例えば、略矩形板状に形成され、略水平状態から細断用回転カッターＡがわに行くに従って低くなるような任意の傾斜状態とすることができるように構成されている。すなわち、重力等を利用して被細断物が細断用回転カッターＡがわに無理なくスムーズに送給できるように形成されている。尚、ガイドプレート１には複数の送りローラ２等を設けると共に、この送りローラ２を駆動回転せしめる適宜駆動手段を設けるようにしても良い。
【００６９】
また、ガイドプレート１の細断用回転カッターＡがわの終端縁部分には、略細長溝状の複数の切欠溝６が端縁に沿って所定間隔に配されている。すなわち、切欠溝６によって櫛歯状に形成されており、この部分が細断用櫛歯部７となっている。
ところで、細断用櫛歯部７は、ガイドプレート１に直接的に設けず、ガイドプレート１と別体とした細断用固定プレート５を設け、この細断用固定プレート５に設けるようにしても良い。
【００７０】
更に、細断用櫛歯部７は、例えば、図２０に示すように切欠溝６を構成する突出歯片に於いて、その長さが異なる二種類のものを交互に配設するように形成して、この部分を通過する被細断物が細断用回転カッターＡの回転刃２０によってより噛み込み難くなるようにすると共に、回転刃２０による切断時の音がより低減されるように構成しても良い。すなわち、被細断物が細断用櫛歯部７を通過する際に、回転刃２０の切断力に対する細断用櫛歯部７部分での反力が不揃いとなって、回転刃２０による噛込み抵抗を低減できるようになる。
【００７１】
前記ガイド上片８は、例えば、送給路の終端がわに配されると共に、ガイドプレート１の上方に配されている。しかも、細断用回転カッターＡがわに一度に送給できる被細断物の厚み（枚数）を制限できるように形成されていると共に、手指等が細断用回転カッターＡがわに入り込むのを阻止できるように形成されている。すなわち、細断用回転カッターＡの細断能力を超えて、一度に多数の被細断物が送給されることがないように構成されている。
【００７２】
更に、前記細断用回転カッターＡは、例えば、ケース４０或いはフレームに回転自在に支持される回転軸１１と、この回転軸１１に夫々固定される一対の基盤１０と、この一対の基盤１０の間に架設状に配される複数（例えば、四本）の取付杆１２と、この取付杆１２に貫通装着されると共に、外装リング１７（スペーサー１６）を介して所定間隔隔てた状態で配される複数の略丸鋸刃状回転刃２０とからなり（図１９及び図２０参照）、複数の回転刃２０の外周縁部分がガイドプレート１の細断用櫛歯部７の切欠溝６夫々に収容されるように形成してある。すなわち、細断用櫛歯部７上を送給される被細断物を複数の回転刃２０で切断して細断できるように形成されている。しかも、細断用回転カッターＡ自体を堅牢に且つ軽量に構成できて、更に、その組立て、分解が簡単に行え、消耗品でもある回転刃２０の互換装着が簡単に行え、取り扱い易く、メンテナンスし易い細断用回転カッターＡとなるように構成されている。
【００７３】
前記基盤１０は、例えば、略円板状を呈し、その中央部分に回転軸１１の端部が固着されている。しかも、その外周部分には、取付杆１２が貫通可能となるような複数（例えば、四個）の円孔が穿設（或いは、略Ｕ字状の溝が凹設）されている。
【００７４】
前記回転軸１１は、例えば、略長尺円柱状（或いは、略長尺円筒状でも良い）を呈し、一対の基盤１０夫々がその両端部分に固着できるように形成されている。尚、この回転軸１１は、一対の略短円柱状に構成し、一対の基盤１０に夫々固着するように形成されたものであっても良い。
【００７５】
前記取付杆１２は、例えば、略長尺丸棒状を呈し、その両端部分には雄ネジ部１３が形成されている。そして、この雄ネジ部１３には、ワッシャー１４が挿通されると共にナット１５が螺着され、これらによって、取付杆１２を一対の基盤１０に分解可能に固定できるよう構成されている。
【００７６】
前記外装リング１７（スペーサー１６）は、例えば、複数の取付杆１２を全体的に囲撓（外接）するような大きな略短円筒状に形成され、隣設する回転刃２０の中央空間部分に、被細断物が入り込むのを確実に防止できるように設けられたものである（図１８乃至図２０参照）。すなわち、細断後の被細断物が、隣設する回転刃２０の間に残り難くなると共に、スムーズに落下するように設けられたものである。しかも、この外装リング１７は、隣設する回転刃２０の間隔を保持するためのスペーサー１６としても利用されている。
【００７７】
前記回転刃２０は、例えば、略丸鋸刃状を呈し、その中央部分に比較的大きな円形の透孔２３が穿設され、この透孔２３の周囲に取付杆１２が貫通可能となるような複数（例えば、四個）の円形貫通孔２２が穿設されている。すなわち、複数の回転刃２０の連結状態が強固で且つ安定的となるように形成されている。
しかも、回転刃２０の外周部分に設けた複数の切刃２１は、交互に左右側部に折曲げるように形成してあり（例えば、アサリ状に形成してあり）、この切刃２１で切断された部分は、ある程度の幅部分が切り屑状となる（微細化される）ため、仮に細断片を集めても再現することが不可能となるように形成してある。
【００７８】
また、回転刃２０は、その外径寸法が異なる少なくとも二種類以上のものを組合せるように形成しても良い。すなわち、被細断物を細断用回転カッターＡで細断し始める際に、全ての回転刃２０が被細断物を同時に細断するようなことがなくなるようにして、多数枚重ねた状態の被細断物を細断するときでも、細断用回転カッターＡが噛み込み状態となって、細断作業が中断し難くなるように形成しても良い。
【００７９】
前記巻付き防止用回転体Ｂは、適宜駆動手段によって細断用回転カッターＡと同じ向きに回転するように構成されており、細断用回転カッターＡの隣設する回転刃２０の間に細断片が残っているような場合に、これを確実に掻き落せるように形成されたものである。
【００８０】
巻付き防止用回転体Ｂの基体３０は、例えば、略円筒状を呈すると共に、回転軸３１に貫通ボルト・ナット等を介して固着できるように構成されている。
【００８１】
前記回転軸３１は、例えば、ケース４０やフレーム等に装着されると共に、適宜駆動手段に連繋されて駆動回転するように形成されている。
【００８２】
前記掻き落し片３２は、例えば、略細長帯板状を呈し、基体３０に６０度間隔（或いは、９０度間隔、或いはその他の適宜間隔を採用できる）となるように突設されている。
【００８３】
尚、巻付き防止用回転体Ｂは、細断用回転カッターＡの回転速度よりも速い速度で駆動回転するように形成されており、特に、掻き落し片３２の先端部分に於ける周速度が、外装リング１７の周速度より速くなるように回転せしめられて、外装リング１７に巻き付くようになる被細断物を確実に且つ速やかに掻き落し片３２で掻き落せるように構成されている。
【００８４】
図２２は、細断用回転カッターＡの他の実施例を示すもので、この細断用回転カッターＡは、例えば、ケース４０或いはフレームに回転自在に支持される回転軸１１と、この回転軸１１の両端部分に設けた雄ネジ部分に螺着される一対の押え金具１８と、回転軸１１に貫通装着されると共に、スペーサー１６を介して所定間隔隔てた状態で配される複数の略丸鋸刃状回転刃２０とからなり、回転軸１１と回転刃２０は、回転軸１１にネジ止めしたキーによって、その回転力が伝達されるように構成されていて、複数の回転刃２０の外周縁部分が細断用櫛歯部７の切欠溝６夫々に収容されるように形成してある。すなわち、細断用櫛歯部７上を送給される被細断物を複数の回転刃２０で切断して細断するように形成されている。しかも、その組立て、分解が簡単に行え、消耗品でもある回転刃２０の互換装着が簡単に行え、取り扱い易く、メンテナンスし易い細断用回転カッターＡとなるように構成されている。
【００８５】
図２３及び図２４に示すシュレッダー装置は、ケース４０に於いて細断片が排出される開口部４１に揺動蓋片４２等を自在に配置できるようにしたもので、ケース４０内に細断片がある程度留まるようにして（細断片がケース４０内を循環して）、短く千切れてから排出できるように構成されたものである。すなわち、揺動蓋片４２を上下できるようにケース４０に装着し、揺動蓋片４２を下方に配置した時に開口部４１を塞ぐように形成されている。しかも、揺動蓋片４２はその上辺部が揺動自在に装着されており、ケース４０内に細断片がある程度留まるようにして、細断片の量が増えるとその圧力で揺動蓋片４２が自動的に揺動して、短く千切れた細断片が自動的に排出されるように構成されている。
尚、揺動蓋片４２の代わりに、可撓性を有するシート状の適宜部材を利用しても良い。
【００８６】
ところで、前記細断用回転カッターＡと細断用櫛歯部７との関係に於いて、例えば、細断用櫛歯部７（細断用固定プレート５或いはガイドプレート１）を含む平坦面が水平（或いは、稍下向き傾斜）である場合に、その平坦面は、細断用回転カッターＡの回転中心部分より若干下方に位置するように配置されるのが望ましい。すなわち、細断用櫛歯部７を通過する被細断物は、回転刃２０の回転を利用して、回転刃２０がわに自動的に引き込まれるように力が作用し、よりスムーズな細断処理が可能となる。
【００８７】
また、細断用櫛歯部７は、その突出片部分の下部に適宜控材を固定しておいても良い。すなわち、細断用櫛歯部７の突出片部分の強度、耐久性を増すと共に、横ブレ等を防止できるように形成することができる。
【００８８】
更に、シュレッダー装置の具体的構成、形状、寸法、送給機構の具体的構成、形状、寸法、配設位置、ガイドプレート１の具体的構成、形状、寸法、材質、配設位置、送りローラ２の具体的構成、形状、寸法、材質、数、配設位置、押えローラ３の具体的構成、形状、寸法、材質、数、配設位置、細断用固定プレート５の具体的構成、形状、寸法、材質、配設位置、切欠溝６の具体的構成、形状、寸法、数、配設位置、細断用櫛歯部７の具体的構成、形状、寸法、数、配設位置、ガイド上片８の具体的構成、形状、寸法、材質、配設位置、細断機構の具体的構成、配設位置、細断用回転カッターＡの具体的構成、形状、寸法、材質、配設位置、基盤１０の具体的構成、形状、寸法、材質、配設位置、回転軸１１の具体的構成、形状、寸法、材質、配設位置、取付杆１２の具体的構成、形状、寸法、材質、数、配設位置、雄ネジ部１３の具体的構成、形状、寸法、配設位置、ワッシャー１４の具体的構成、形状、寸法、材質、配設位置、ナット１５の具体的構成、形状、寸法、材質、スペーサー１６の具体的構成、形状、寸法、材質、数、配設位置、回転軸１１の具体的構成、形状、寸法、材質、配設位置、スペーサー１６の具体的構成、形状、寸法、材質、数、配設位置、外装リング１７の具体的構成、形状、寸法、材質、数、配設位置、押え金具１８の具体的構成、形状、寸法、材質、回転刃２０の具体的構成、形状、寸法、材質、数、配設位置、切刃２１の具体的構成、形状、寸法、数、配設位置、貫通孔２２の具体的構成、形状、寸法、数、配設位置、透孔２３の具体的構成、形状、寸法、配設位置、巻付き防止機構の具体的構成、配設位置、掻き落し片２５の具体的構成、形状、寸法、材質、数、配設位置、巻付き防止用回転体Ｂの具体的構成、形状、寸法、材質、配設位置、基体３０の具体的構成、形状、寸法、材質、配設位置、回転軸３１の具体的構成、形状、寸法、材質、配設位置、掻き落し片３２の具体的構成、形状、寸法、材質、数、配設位置、ケース４０の具体的構成、形状、寸法、材質、開口部４１の具体的構成、形状、寸法、配設位置、数、揺動蓋片４２の具体的構成、形状、寸法、材質、押えローラ５０の具体的構成、形状、寸法、材質、配設位置、支持フレーム５１の具体的構成、形状、寸法、材質、配設位置、軸支持体５２の具体的構成、形状、寸法、材質、配設位置、制動体５３の具体的構成、形状、寸法、材質、配設位置、ブレーキシュー５４の具体的構成、形状、寸法、材質、配設位置、昇降テーブル６０の具体的構成、形状、寸法、材質、配設位置、ガイドレール６１の具体的構成、形状、寸法、材質、配設位置、駆動手段の具体的構成、配設位置、送風手段の具体的構成、数、配設位置、ゴミ収集車７０の具体的構成、ゴミ収集車７０に於けるシュレッダー装置の取付け位置等は図示例のもの等に限定されることなく適宜自由に設定、変更できるものである。
【図面の簡単な説明】
【００８９】
【図１】本発明のシュレッダー装置を例示する一部切欠概略側面図である。
【図２】本発明のシュレッダー装置を例示する一部切欠概略平面図である。
【図３】本発明のシュレッダー装置の細断用回転カッターを例示する一部切欠平面図である。
【図４】本発明のシュレッダー装置の細断用回転カッターを例示する一部切欠側面図である。
【図５】本発明のシュレッダー装置の他の実施例を示す一部切欠概略側面図である。
【図６】本発明のシュレッダー装置の他の実施例を示す一部切欠概略平面図である。
【図７】本発明のシュレッダー装置の他の実施例を示す一部切欠概略背面図である。
【図８】本発明のシュレッダー装置の押えローラ部分の実施例を示す一部切欠正面図である。
【図９】本発明のシュレッダー装置の押えローラ部分の実施例を示す側面図である。
【図１０】本発明のシュレッダー装置の押えローラ部分の実施例を示す一部切欠側面図である。
【図１１】本発明のシュレッダー装置の押えローラ部分の実施例を示す一部切欠側面図である。
【図１２】本発明のシュレッダー装置の送給機構の他の実施例を示す側面図である。
【図１３】本発明のシュレッダー装置の送給機構の他の実施例を示す正面図である。
【図１４】本発明のシュレッダー装置の他の実施例を示す部分側面図である。
【図１５】本発明のシュレッダー装置の他の実施例を示す一部切欠部分平面図である。
【図１６】本発明のシュレッダー装置の送給機構の一部を例示するもので、（イ）は押えローラ部分の概略側面図、（ロ）は、押えローラの側面図である。
【図１７】本発明のシュレッダー装置の送給機構の押えローラ部分の概略正面図である。
【図１８】本発明のシュレッダー装置の他の実施例を示す一部切欠側面図である。
【図１９】本発明のシュレッダー装置の他の実施例を示す一部切欠部分背面図である。
【図２０】本発明のシュレッダー装置の他の実施例を示す一部切欠部分平面図である。
【図２１】本発明のシュレッダー装置の使用例を示す概略側面図である。
【図２２】本発明のシュレッダー装置の他の細断用回転カッターを例示する一部切欠平面図である。
【図２３】本発明のシュレッダー装置の他の実施例を示す一部切欠側面図である。
【図２４】本発明のシュレッダー装置の他の実施例を示す一部切欠側面図である。
【符号の説明】
【００９０】
１      ガイドプレート
２      送りローラ
３      押えローラ
５      細断用固定プレート
６      切欠溝
７      細断用櫛歯部
８      ガイド上片
Ａ      細断用回転カッター
１０    基盤
１１    回転軸
１２    取付杆
１３    雄ネジ部
１４    ワッシャー
１５    ナット
１６    スペーサー
１７    外装リング
１８    押え金具
２０    回転刃
２１    切刃
２２    貫通孔
２３    透孔
２５    掻き落し片
Ｂ      巻付き防止用回転体
３０    基体
３１    回転軸
３２    掻き落し片
４０    ケース
４１    開口部
４２    揺動蓋片
５０    押えローラ
５１    支持フレーム
５２    軸支持体
５３    制動体
５４    ブレーキシュー
６０    昇降テーブル
６１    ガイドレール
７０    ゴミ収集車
【図１】
2008114114.tif 000003
【図２】
2008114114.tif 000004
【図３】
2008114114.tif 000005
【図４】
2008114114.tif 000006
【図５】
2008114114.tif 000007
【図６】
2008114114.tif 000008
【図７】
2008114114.tif 000009
【図８】
2008114114.tif 000010
【図９】
2008114114.tif 000011
【図１０】
2008114114.tif 000012
【図１１】
2008114114.tif 000013
【図１２】
2008114114.tif 000014
【図１３】
2008114114.tif 000015
【図１４】
2008114114.tif 000016
【図１５】
2008114114.tif 000017
【図１６】
2008114114.tif 000018
【図１７】
2008114114.tif 000019
【図１８】
2008114114.tif 000020
【図１９】
2008114114.tif 000021
【図２０】
2008114114.tif 000022
【図２１】
2008114114.tif 000023
【図２２】
2008114114.tif 000024
【図２３】
2008114114.tif 000025
【図２４】
2008114114.tif 000026